(57)【要約】【課題】冷却風を受ける液晶パネルにおけるパネル表面へのダストの吹き溜まりや堆積を抑制することができるとともに、冷却風による冷却性能が向上し、長期的な画質信頼性を向上させることができる液晶表示装置を提供する。【解決手段】外部から照射される光を受けるパネル表面３７を有する液晶パネル３１と、液晶パネル３１を収容し、パネル表面３７を外部に対して露出させる開口部である窓部４２ｃを形成するケース４０とを備え、ケース４０は、パネル表面３７に沿う所定の方向から冷却風を受けるものであり、斜面５１ａを形成する部分であるテーパ部５１と、斜面５１ａに対して連続する平坦面５１ｂと、平坦面５１ｂとともに、窓部４２ｃに対して連通するスリット状の隙間である外枠隙間５２を形成する面である見切り板内面４２ｄと、凹部として設けられ、固定用の孔部であるネジ孔５３ａを形成する部分である中央固定部５３とを有する。【選択図】図４
2011028089.tif 000002
【特許請求の範囲】
【請求項１】
外部から照射される光を受けるパネル表面を有する液晶パネルと、該液晶パネルを収容し、前記液晶パネルを収容した状態で前記パネル表面に沿う平面部を有するとともに、該平面部に前記パネル表面を外部に対して露出させる開口部を形成するケースとを備え、
前記ケースは、
前記パネル表面に沿う所定の方向から、前記液晶パネルを冷却するための冷却風を受けるものであり、
前記冷却風を受ける側の端部に設けられ、前記平面部に対して前記端部の縁端にかけて下る斜面を形成する部分であるテーパ部と、
前記斜面に対して該斜面の前記平面部側の端部から連続するとともに前記パネル表面に沿う方向の面である第一の隙間形成面と、
該第一の隙間形成面に対して前記平面部側に位置するとともに前記第一の隙間形成面に対向する面であり、前記第一の隙間形成面とともに、前記開口部に対して前記平面部の内側から連通するスリット状の隙間を形成する面である第二の隙間形成面と、
前記端部にて前記斜面を含む部分に凹部として設けられ、前記平面部に対して略垂直方向に貫通する固定用の孔部を形成する部分である固定部とを有する液晶表示装置。
【請求項２】
前記ケースは、
前記液晶パネルの外形に沿う枠状の部分を有し前記液晶パネルを保持する外枠と、
該外枠に保持される前記液晶パネルの前記パネル表面を覆うとともに前記開口部を形成する板状の部材である見切り板とを有するものであり、
前記外枠により、前記テーパ部、前記第一の隙間形成面、および前記固定部が構成され、
前記見切り板により、前記第二の隙間形成面が構成される請求項１に記載の液晶表示装置。
【請求項３】
前記第二の隙間形成面は、
前記パネル表面に沿う方向について前記第一の隙間形成面よりも前記端部の縁端側に延長する部分である延長部を有する請求項１または請求項２に記載の液晶表示装置。
【請求項４】
請求項１〜３のいずれか一項に記載の液晶表示装置と、
前記光を発生させる光源と、
該光源から出射された前記光を前記液晶表示装置に導く集光光学系と、
前記液晶表示装置で光変調した前記光を拡大して投射する投射光学系と、
前記冷却風を発生させ、前記冷却風を前記液晶表示装置に導く送風手段とを備える投射型表示装置。
【発明の詳細な説明】
【技術分野】
【０００１】
本発明は、プロジェクタ等の映像表示装置においてライトバルブとして用いられる液晶表示装置、および液晶表示装置を備える投射型表示装置に関する。詳しくは、液晶表示装置において液晶パネルを収容するケースの部分に関する。
【背景技術】
【０００２】
例えばプロジェクタ等の映像表示装置においては、ライトバルブとして機能する液晶表示装置が備えられる。液晶表示装置は、一般に、対向配置される基板、およびこれらの基板間に挟持される液晶を有する液晶パネルがケースに収容される構成を備える。このように映像表示装置に備えられる液晶表示装置に対しては、所定の光源から発せられる光が、集光され、液晶パネルのパネル表面に照射される。プロジェクタにおいては、液晶パネルに照射された光が液晶パネルを透過してスクリーン上に拡大投射されることで、映像の表示が行われる。プロジェクタにおいて液晶パネルに照射される光としては、スクリーン上への拡大投射が行われることから、比較的強力な光が用いられる。
【０００３】
このように、比較的強力な光が照射される液晶パネルに対しては、光の照射による温度上昇にともなう、液晶パネルを構成する液晶の特性劣化を抑制すること等を目的として、ファン等により発生させられる冷却風が送られる。そこで、従来、液晶表示装置において液晶パネルを収容するケースの形状を工夫することにより、冷却風による液晶パネルの冷却効率を向上させることが行われている（例えば、特許文献１参照。）。特許文献１に開示の技術によれば、液晶パネルを収容するケースに、導風板を形成する部分や、冷却風の通路を形成する部分や、フィン等の表面積を増大させる部分等が設けられることにより、冷却風による冷却効率の向上が図られている。
【先行技術文献】
【特許文献】
【０００４】
【特許文献１】特許３７０７４８０号公報
【発明の概要】
【発明が解決しようとする課題】
【０００５】
ところで、液晶パネルを収容するケースは、プロジェクタ等の映像表示装置における所定の位置に液晶パネルを固定するために用いられる。したがって、液晶表示装置を構成するケースには、プロジェクタ等に備えられる取付板等の壁面に対して液晶パネルを固定するための固定部が設けられる。この固定部は、例えば、ケースを固定するためのネジを貫通させるネジ孔を形成する部分として設けられる。このように、液晶表示装置のケースに設けられる固定部は、冷却風を受ける液晶パネルにおいて、光が照射される部分となるパネル表面に、冷却風によって運ばれるダストの吹き溜まりや堆積を発生させる原因となる場合がある。
【０００６】
具体的には、液晶パネルに送られる冷却風は、特許文献１にも示されているように、液晶パネルに対して所定の方向からパネル表面に沿う方向（略平行な方向）に吹き付けられる。また、液晶表示装置の固定部は、構造的な理由から、パネル表面の部分を通過する冷却風の流れの経路に位置することが要求される場合がある。そこで、液晶表示装置の固定部が、例えば、液晶パネルのパネル表面に対して冷却風の流れにおける上流側に位置するとともに、ケースにおいて他の面部分に対して突出する部分（突起部分）として設けられる場合、そのパネル表面の上流側に位置する固定部を起点として、冷却風による乱流が発生するときがある。
【０００７】
こうした冷却風による乱流は、液晶パネルを固定するために、液晶表示装置のケースにおける外枠部分において固定部が三箇所に配置される、いわゆる三点留め方式が採用される場合に特に生じやすい。すなわち、液晶表示装置の三点留め方式においては、三箇所の固定部のうちの一箇所の固定部が、液晶パネルに接続されるコネクタの配置等との関係から、パネル表面に対して冷却風の流れにおける上流側であってパネル表面の一側の辺部における略中央に、突起部分として位置する場合がある。このような場合、パネル表面の上流側に位置する固定部は、その固定部の下流側の部分、つまりパネル表面上において冷却風による乱流を発生させる原因となる。
【０００８】
このように、液晶表示装置の固定部が存在することによって液晶パネルのパネル表面上において冷却風の乱流が生じることにより、パネル表面に、冷却風によって運ばれるダストの吹き溜まりや堆積が発生する場合がある。こうした冷却風の乱流によるパネル表面上のダストの吹き溜まりや堆積は、液晶パネルの長寿命化を図るために冷却風の風量が増加させられることにより顕著となる。また、パネル表面上のダストの吹き溜まりや堆積は、使用期間が長期間経過すると、プロジェクタ等による投射画面にダストが映るという問題を顕在化させる原因となる。
【０００９】
そこで、本発明は、上記のような問題点に鑑みてなされたものであり、その解決しようとする課題は、冷却風を受ける液晶パネルにおけるパネル表面へのダストの吹き溜まりや堆積を抑制することができるとともに、冷却風による冷却性能が向上し、長期的な画質信頼性を向上させることができる液晶表示装置および投射型表示装置を提供することにある。
【課題を解決するための手段】
【００１０】
本発明の解決しようとする課題は以上の如くであり、次にこの課題を解決するための手段を説明する。
【００１１】
すなわち、本発明の液晶表示装置は、外部から照射される光を受けるパネル表面を有する液晶パネルと、該液晶パネルを収容し、前記液晶パネルを収容した状態で前記パネル表面に沿う平面部を有するとともに、該平面部に前記パネル表面を外部に対して露出させる開口部を形成するケースとを備え、前記ケースは、前記パネル表面に沿う所定の方向から、前記液晶パネルを冷却するための冷却風を受けるものであり、前記冷却風を受ける側の端部に設けられ、前記平面部に対して前記端部の縁端にかけて下る斜面を形成する部分であるテーパ部と、前記斜面に対して該斜面の前記平面部側の端部から連続するとともに前記パネル表面に沿う方向の面である第一の隙間形成面と、該第一の隙間形成面に対して前記平面部側に位置するとともに前記第一の隙間形成面に対向する面であり、前記第一の隙間形成面とともに、前記開口部に対して前記平面部の内側から連通するスリット状の隙間を形成する面である第二の隙間形成面と、前記端部にて前記斜面を含む部分に凹部として設けられ、前記平面部に対して略垂直方向に貫通する固定用の孔部を形成する部分である固定部とを有するものである。
【００１２】
また、本発明の液晶表示装置においては、前記ケースは、前記液晶パネルの外形に沿う枠状の部分を有し前記液晶パネルを保持する外枠と、該外枠に保持される前記液晶パネルの前記パネル表面を覆うとともに前記開口部を形成する板状の部材である見切り板とを有するものであり、前記外枠により、前記テーパ部、前記第一の隙間形成面、および前記固定部が構成され、前記見切り板により、前記第二の隙間形成面が構成されるものである。
【００１３】
また、本発明の液晶表示装置においては、前記第二の隙間形成面は、前記パネル表面に沿う方向について前記第一の隙間形成面よりも前記端部の縁端側に延長する部分である延長部を有するものである。
【００１４】
また、本発明の投射型表示装置は、前記液晶表示装置と、前記光を発生させる光源と、該光源から出射された前記光を前記液晶表示装置に導く集光光学系と、前記液晶表示装置で光変調した前記光を拡大して投射する投射光学系と、前記冷却風を発生させ、前記冷却風を前記液晶表示装置に導く送風手段とを備えるものである。
【発明の効果】
【００１５】
本発明によれば、冷却風を受ける液晶パネルにおけるパネル表面へのダストの吹き溜まりや堆積を抑制することができるとともに、冷却風による冷却性能が向上し、長期的な画質信頼性を向上させることができる。
【図面の簡単な説明】
【００１６】
【図１】本発明の一実施形態に係るプロジェクタの構成を示す図。
【図２】同じくプロジェクタにおける液晶表示ユニット部分の拡大図。
【図３】図２におけるＡ−Ａ断面図。
【図４】本発明の一実施形態に係る液晶表示ユニットを示す斜視図。
【図５】同じく分解斜視図。
【図６】同じく平面図。
【図７】同じく正面図。
【図８】図６におけるＢ−Ｂ断面図。
【図９】図８における部分拡大図。
【図１０】本発明の一実施形態に係る液晶表示ユニットの別構成を示す斜視図。
【図１１】同じく部分拡大断面図。
【図１２】第一の比較例としての液晶表示ユニットを示す斜視図。
【図１３】第二の比較例としての液晶表示ユニットを示す斜視図。
【図１４】第一の比較例としての液晶表示ユニットにおける冷却風の流れについての説明図。
【図１５】冷却風の逆流についての説明図。
【図１６】第二の比較例としての液晶表示ユニットにおける冷却風の流れについての説明図。
【図１７】本実施形態に係る液晶表示ユニットにおける冷却風の流れについての説明図。
【発明を実施するための形態】
【００１７】
本発明は、液晶パネルがケースに収容されることで構成される液晶表示装置において、液晶表示装置を固定するためにケースに複数設けられる固定部のうち、冷却風の流れにおけるパネル表面の上流側に位置する固定部の形状や、ケースにおける固定部が存在する側の辺部の形状等を工夫することにより、パネル表面にダストを堆積させる原因となる冷却風による乱流の発生を抑制しようとするものである。以下、本発明の実施の形態について説明する。
【００１８】
（プロジェクタの構成）
図１〜図３を用いて、本実施形態に係る液晶表示装置を備える投射型表示装置としてのプロジェクタの構成について説明する。本実施形態に係るプロジェクタ１は、液晶表示装置としての透過型の液晶表示ユニットを三枚用いることでカラー画像表示を行う、いわゆる三板方式のものである。つまり、プロジェクタ１は、光源からの光を赤色、緑色、青色の三原色に分離し、それぞれの色に対して液晶表示ユニットを一枚ずつ用いてカラー画像表示を行う。各色に対応する三枚の液晶表示ユニットは、略同じ構造を有する。
【００１９】
図１に示すように、プロジェクタ１は、光を発生させる光源２と、互いに対向配置される一対のレンズである第一フライアイレンズ３および第二フライアイレンズ４とを備える。第一フライアイレンズ３および第二フライアイレンズ４は、それぞれ二次元的に配列される複数のマイクロレンズ３ａ、４ａを有する。第一フライアイレンズ３および第二フライアイレンズ４は、光の照度分布を均一化させるためのものであり、入射した光を複数の小光束に分割する機能を有する。また、プロジェクタ１においては、光源２と第一フライアイレンズ３との間に、ＵＶ（Ｕｌｔｒａｖｉｏｌｅｔ）／ＩＲ（Ｉｎｆｒａｒｅｄ）カットフィルタ５が配置されている。
【００２０】
光源２は、カラー画像表示に必要とされる赤色光、緑色光、および青色光を含む白色光を発する。光源２は、白色光を発する発光体と、この発光体から発せられた光を反射・集光する凹面鏡（リフレクタ）とを有する。発光体としては、例えば、ハロゲンランプ、メタルハイドランプ、キセノンランプ等が使用される。凹面鏡としては、良好な集光効率を得る観点から、例えば、回転楕円面鏡や回転放物面鏡等の回転対称な面形状を有するものが用いられる。
【００２１】
光源２において発光体から発せられた光は、凹面鏡によって略平行光となり、ＵＶ／ＩＲカットフィルタ５を介して第一フライアイレンズ３に入射され、第一フライアイレンズ３を透過した後、第二フライアイレンズ４に入射される。なお、光源２および第一フライアイレンズ３を含む構成は、光源２からＵＶ／ＩＲカットフィルタ５を介して第一フライアイレンズ３から出射される光がミラー等により略９０°曲げられることで第二フライアイレンズ４に入射するように配置されてもよい。
【００２２】
また、プロジェクタ１は、第二フライアイレンズ４の光の出射側に、ＰＳ合成素子６と、コンデンサレンズ７と、ダイクロイックミラー８とを備える。ＰＳ合成素子６、コンデンサレンズ７、およびダイクロイックミラー８は、第二フライアイレンズ４からの光の出射方向に、第二フライアイレンズ４側から順に配置される。
【００２３】
ＰＳ合成素子６は、複数の位相差板６ａを有する。複数の位相差板６ａは、第二フライアイレンズ４における隣り合うマイクロレンズ４ａ間に対応する位置に配置される。位相差板６ａは、例えば１／２波長板である。ＰＳ合成素子６は、入射した光をＰ偏光成分およびＳ偏光成分の二種類の偏光に分離する機能を有する。また、ＰＳ合成素子６は、分離させた二つの偏光のうち、一方の偏光（例えばＰ偏光）をその偏光方向を保ったまま出射させ、他方の偏光（この場合Ｓ偏光）を、位相差板６ａの作用により、他の偏光成分（この場合Ｐ偏光成分）に変換して出射させる機能を有する。
【００２４】
ＰＳ合成素子６から出射した光は、コンデンサレンズ７によって集光されて、ダイクロイックミラー８に入射する。ダイクロイックミラー８は、例えば、入射した光のうち、赤色光ＬＲを反射し、その他の色の光を透過させることにより、入射光を赤色光ＬＲとその他の色の光とに分離する。
【００２５】
また、プロジェクタ１は、ダイクロイックミラー８によって分離された赤色光ＬＲの光路に沿って、ミラー９と、フィールドレンズ１０と、液晶表示ユニット３０Ｒとを順に備える。ミラー９としては、全反射ミラーが好適に用いられる。ミラー９は、ダイクロイックミラー８によって分離された赤色光ＬＲを、液晶表示ユニット３０Ｒに向けて反射させる。
【００２６】
液晶表示ユニット３０Ｒは、ミラー９からフィールドレンズ１０を介して入射した赤色光ＬＲによる映像信号を受けて、二次元に分布する各画素の光透過率を制御し、赤色の映像光を出力する。つまり、液晶表示ユニット３０Ｒは、フィールドレンズ１０を介して入射した赤色光ＬＲを、入力される画像信号（画像データ）に応じて空間的に変調する機能を有する。このように、液晶表示ユニット３０Ｒは、赤色光用の液晶表示装置として機能する。
【００２７】
ここで、赤色光ＬＲの光路における液晶表示ユニット３０Ｒの前後には、入射偏光板１１と出射偏光板１２とが配置される。入射偏光板１１は、ミラー９により反射される赤色光ＬＲのうち、ある偏光軸に一致する方向の光を通過させる。出射偏光板１２は、液晶表示ユニット３０Ｒにより変調されて出射される赤色光ＬＲのうち、ある偏光軸に一致する方向の光を通過させる。入射偏光板１１および出射偏光板１２は、いずれも、偏光板１１ａ、１２ａと、この偏光板１１ａ、１２ａを重ねた状態で支持する透明基板である偏光板基材１１ｂ、１２ｂとを有する（図２参照）。
【００２８】
また、プロジェクタ１は、ダイクロイックミラー８によって分離された他の色の光の光路上に、ダイクロイックミラー１３を備える。ダイクロイックミラー１３は、例えば、入射した光のうち、緑色光ＬＧを反射し、青色光ＬＢを透過させることにより、入射光を緑色光ＬＧと青色光ＬＢとに分離する。プロジェクタ１は、ダイクロイックミラー１３によって分離された緑色光ＬＧの光路に沿って、フィールドレンズ１４と、液晶表示ユニット３０Ｇとを順に備える。
【００２９】
液晶表示ユニット３０Ｇは、ダイクロイックミラー１３からフィールドレンズ１４を介して入射した緑色光ＬＧによる映像信号を受けて、二次元に分布する各画素の光透過率を制御し、緑色の映像光を出力する。つまり、液晶表示ユニット３０Ｇは、フィールドレンズ１４を介して入射した緑色光ＬＧを、入力される画像信号（画像データ）に応じて空間的に変調する機能を有する。このように、液晶表示ユニット３０Ｇは、緑色光用の液晶表示装置として機能する。なお、液晶表示ユニット３０Ｇに対しては、赤色光用の液晶表示ユニット３０Ｒと同様に、入射偏光板１１と出射偏光板１２とが配置される。
【００３０】
また、プロジェクタ１は、ダイクロイックミラー１３によって分離された青色光ＬＢの光路に沿って、リレーレンズ１５と、ミラー１６と、リレーレンズ１７と、ミラー１８と、フィールドレンズ１９と、液晶表示ユニット３０Ｂとを順に備える。ミラー１６およびミラー１８としては、全反射ミラーが好適に用いられる。青色光ＬＢの光路においてダイクロイックミラー１３側に位置するミラー１６は、ダイクロイックミラー１３によって分離されリレーレンズ１５を介して入射した青色光ＬＢを、ミラー１８に向けて反射させる。ミラー１８は、ミラー１６によって反射されリレーレンズ１７を介して入射した青色光ＬＢを、液晶表示ユニット３０Ｂに向けて反射させる。
【００３１】
液晶表示ユニット３０Ｂは、ミラー１８からフィールドレンズ１９を介して入射した青色光ＬＢによる映像信号を受けて、二次元に分布する各画素の光透過率を制御し、青色の映像光を出力する。つまり、液晶表示ユニット３０Ｂは、フィールドレンズ１９を介して入射した青色光ＬＢを、入力される画像信号（画像データ）に応じて空間的に変調する機能を有する。このように、液晶表示ユニット３０Ｂは、青色光用の液晶表示装置として機能する。なお、液晶表示ユニット３０Ｂに対しては、赤色光用の液晶表示ユニット３０Ｒ等と同様に、入射偏光板１１と出射偏光板１２とが配置される。
【００３２】
そして、プロジェクタ１は、赤色光ＬＲ、緑色光ＬＧ、および青色光ＬＢの光路が交わる位置に、クロスプリズム２０を備える。クロスプリズム２０は、赤色光ＬＲ、緑色光ＬＧ、および青色光ＬＢの三色の光を合成する機能を有する。クロスプリズム２０は、各色の光に対応する三つの入射面２０Ｒ、２０Ｇ、２０Ｂ、および一つの出射面２０Ｔを有する（図２参照）。すなわち、入射面２０Ｒには、液晶表示ユニット３０Ｒから出射した赤色光ＬＲが入射し、入射面２０Ｇには、液晶表示ユニット３０Ｇから出射した緑色光ＬＧが入射し、入射面２０Ｂには、液晶表示ユニット３０Ｂから出射した青色光ＬＢが入射する。そして、クロスプリズム２０においては、各入射面２０Ｒ、２０Ｇ、２０Ｂから入射した三色の光が、合成されて出射面２０Ｔから出射する。
【００３３】
クロスプリズム２０は、三つの入射面２０Ｒ、２０Ｇ、２０Ｂ、および一つの出射面２０Ｔのそれぞれを有する四つの直角プリズムが接合されることで構成される。したがって、クロスプリズム２０においては、クロスプリズム２０を構成する各直角プリズムの接合面にコートされるダイクロイック膜により、入射面２０Ｒから入射する赤色光ＬＲおよび入射面２０Ｂから入射する青色光ＬＢは、出射面２０Ｔに向けて反射し、入射面２０Ｇから入射する緑色光ＬＧは、出射面２０Ｔに向けて透過する。
【００３４】
また、プロジェクタ１は、クロスプリズム２０から出射された合成光を、投射面を構成するスクリーン（図示略）に向けて拡大投射するための投射レンズ２１を備える。投射レンズ２１は、例えば複数のレンズにより構成され、スクリーンに投射する画像の大きさを調整するズーム機能やピント合わせ機能等を有する。
【００３５】
このように、プロジェクタ１においては、赤色光用の液晶表示ユニット３０Ｒ、緑色光用の液晶表示ユニット３０Ｇ、および青色光用の液晶表示ユニット３０Ｂの三枚の液晶表示ユニットが、それぞれ対応する色の光によって照明される。そして、三枚の液晶表示ユニット３０Ｒ、３０Ｇ、３０Ｂからの出力光が、クロスプリズム２０で合成され、投射レンズ２１によってスクリーンに拡大投射される。なお、以下の説明においては、赤色光用の液晶表示ユニット３０Ｒ、緑色光用の液晶表示ユニット３０Ｇ、および青色光用の液晶表示ユニット３０Ｂの共通の称呼として、「液晶表示ユニット３０」を用いる。
【００３６】
以上のように、本実施形態のプロジェクタ１は、光源２から出射された光を各液晶表示ユニット３０に導く集光光学系を備える。すなわち、プロジェクタ１は、集光光学系として、第一フライアイレンズ３、第二フライアイレンズ４、ＰＳ合成素子６、コンデンサレンズ７、およびダイクロイックミラー８を含む構成に加え、赤色光用の液晶表示ユニット３０Ｒについてはミラー９およびフィールドレンズ１０、緑色光用の液晶表示ユニット３０Ｇについてはダイクロイックミラー１３およびフィールドレンズ１４、青色光用の液晶表示ユニット３０Ｂについてはさらにリレーレンズ１５、ミラー１６、リレーレンズ１７、ミラー１８、およびフィールドレンズ１９を含む構成を備える。
【００３７】
また、本実施形態のプロジェクタ１は、液晶表示ユニット３０で光変調した光を拡大して投射する投射光学系を備える。すなわち、プロジェクタ１は、投射光学系として、クロスプリズム２０と投射レンズ２１とを含む構成を備える。
【００３８】
また、プロジェクタ１は、液晶表示ユニット３０を冷却するための構成を備える。液晶表示ユニット３０は、冷却風を受けることにより冷却される。このため、プロジェクタ１は、冷却風を発生させる冷却ファン２２を備える（図３参照）。冷却ファン２２としては、例えば、シロッコファン（多翼ファン）等の遠心ファンや、軸流ファン等が用いられる。冷却ファン２２から送り出される冷却風は、冷却風の経路を構成する冷却ダクト２３によって液晶表示ユニット３０に導かれる。
【００３９】
具体的には、冷却ファン２２からの冷却風は、液晶表示ユニット３０に対して、鉛直方向の下側（図３における下側）から上側（同図における上側）に向けて吹き付けられる。このため、図２および図３に示すように、冷却ダクト２３の開口部２３ａは、液晶表示ユニット３０の下側において、上側に向けて開口する。本実施形態では、冷却ダクト２３は、鉛直方向に沿うクロスプリズム２０の入射面に対して板面が略平行となるように配置される略板状の液晶表示ユニット３０に対して、平面視（図２参照）で液晶表示ユニット３０が略矩形板状の開口部２３ａの中間部を横切るような位置関係となるように設けられる。
【００４０】
このように、冷却ファン２２から冷却ダクト２３によって導かれる冷却風は、三枚の液晶表示ユニット３０に対して同様にして吹き付けられる。つまり、図２に示すように、赤色光用の液晶表示ユニット３０Ｒ、緑色光用の液晶表示ユニット３０Ｇ、および青色光用の液晶表示ユニット３０Ｂのそれぞれについて、開口部２３ａが同様の位置関係となるように、冷却ダクト２３が各液晶表示ユニット３０に対して設けられる。
【００４１】
このように、本実施形態のプロジェクタ１は、冷却風を発生させ、冷却風を液晶表示ユニット３０に導く送風手段を備える。すなわち、プロジェクタ１は、送風手段として、冷却ファン２２と冷却ダクト２３とを含む構成を備える。
【００４２】
（液晶表示ユニットの構成）
図４〜図９を用いて、本実施形態の液晶表示ユニット３０の構成について説明する。液晶表示ユニット３０は、薄膜トランジスタ（ＴＦＴ：Ｔｈｉｎ  Ｆｉｌｍ  Ｔｒａｎｓｉｓｔｏｒ）駆動によるアクティブマトリクス駆動方式の液晶表示素子を有するものであり、プロジェクタ１において、映像情報に応じて入射光を変調するライトバルブとして機能する。液晶表示ユニット３０は、液晶表示素子としての液晶パネル３１と、この液晶パネル３１を収容するケース４０とを備える。
【００４３】
液晶パネル３１は、プロジェクタ１の光源２から照射される光の入射面および出射面を構成する有効表示領域を含む平面部、およびこれを囲む端面部とからなる略矩形板状の外形を有する。図８に示すように、液晶パネル３１は、互いに対向配置される一対の絶縁基板であるＴＦＴ基板３２と対向基板３３とを有する。ＴＦＴ基板３２と対向基板３３とは、所定の間隔を隔てて互いの間に液晶を挟み込んで封入した状態で、シール材によって貼り合わされる。ＴＦＴ基板３２と対向基板３３との間に封入された液晶により、光変調層としての液晶層が形成される。この液晶層の周囲が、ＴＦＴ基板３２と対向基板３３との間に介装されるシール材によって囲まれる。
【００４４】
ＴＦＴ基板３２は、石英、ガラス、プラスチック等の透光性材料により構成される。ＴＦＴ基板３２の内側面（対向側の面）は、面の中央部であって複数の画素電極が設けられる画素領域と、この画素領域の周囲において複数の周辺電極により形成される周辺領域とを有する。画素領域においては、透明導電膜により形成される矩形状の画素電極がマトリクス状に複数配列される。
【００４５】
対向基板３３は、ＴＦＴ基板３２と同様に、石英、ガラス、プラスチック等の透光性材料により構成される。対向基板３３の内側面（対向側の面）には、透明導電膜により形成される電極である共通電極が設けられる。この共通電極は、ＴＦＴ基板３２において画素領域と周辺領域とにより構成される電極部に対向する電極部を構成する。
【００４６】
液晶パネル３１の入射面側および出射面側には、それぞれ防塵ガラス３４、３５が取り付けられている。本実施形態では、液晶パネル３１において、対向基板３３側（図８において上側）が入射面側となり、ＴＦＴ基板３２側（同図において下側）が出射面側となる。したがって、入射面側の防塵ガラス３４は、対向基板３３における外側面（対向側と反対側の面）に取り付けられ、出射面側の防塵ガラス３５は、ＴＦＴ基板３２における外側面（対向側と反対側の面）に取り付けられる。これらの防塵ガラス３４、３５は、液晶パネル３１による表示の妨げとなるゴミや埃がＴＦＴ基板３２または対向基板３３の表面（外側面）に付着することを防止する。
【００４７】
液晶パネル３１には、フレキシブルケーブル３６が接続される。フレキシブルケーブル３６は、液晶パネル３１の略矩形板状の外形における一側の辺部に接続される。具体的には、フレキシブルケーブル３６は、液晶パネル３１を構成するＴＦＴ基板３２における内側面の一側の縁端部に設けられる外部接続用の端子部に接続される。このＴＦＴ基板３２に設けられる端子部は、配線を介してＴＦＴ基板３２上に形成される駆動回路等に対して接続される。
【００４８】
ケース４０は、外枠４１と見切り板４２とを有し、液晶パネル３１を収容した状態で略矩形板状の外形を有する。外枠４１は、液晶パネル３１を、端面部を囲む状態で出射面側から収納する。このため、外枠４１は、液晶パネル３１をＴＦＴ基板３２側から支持する底部４１ａと、液晶パネル３１を端面部側から支持する壁部としての側壁部４１ｂおよび前壁部５０とを有し、全体として略矩形の枠状に構成される。
【００４９】
側壁部４１ｂは、外枠４１において、液晶パネル３１が収納された状態でのフレキシブルケーブル３６が位置する側（図６において上側）の辺部を除く、互いに対向する辺部（同図において左右両側の辺部）に沿って設けられる一対の壁部である。前壁部５０は、外枠４１において、液晶パネル３１が収納された状態でのフレキシブルケーブル３６が位置する側と反対側（図６において下側）の辺部に沿って設けられる壁部である。
【００５０】
外枠４１は、その底部４１ａに、開口部分である窓部４１ｃを有する。外枠４１が有する窓部４１ｃは、液晶パネル３１の有効表示領域に対応する位置に形成され、液晶パネル３１の出射面側（ＴＦＴ基板３２側）において有効表示領域を外部に対して露出させる。
【００５１】
見切り板４２は、液晶パネル３１を収容した状態の外枠４１に対して装着されることで、液晶パネル３１の入射面側を覆う略矩形板状の部材である（図５参照）。つまり、見切り板４２は、液晶パネル３１の入射面側における周辺遮光用の部材である。見切り板４２は、外枠４１に対して装着されるための複数の係合部４２ａを有する。本実施形態では、係合部４２ａは、見切り板４２の略矩形板状の外形における四隅に設けられる。係合部４２ａは、板状の見切り板４２において板面に対して略垂直方向となるように外枠４１に対して係合する側に折り曲げ形成される部分である。
【００５２】
係合部４２ａは、外枠４１を互いに対向する側壁部４１ｂの部分から（図６において左右両側から）挟み込む状態で、外枠４１に装着される。このため、見切り板４２において一方の辺部に設けられる二個の係合部４２ａが、外枠４１の一方の側壁部４１ｂに対して係合し、見切り板４２において他方の辺部に設けられる二個の係合部４２ａが、外枠４１の他方の側壁部４１ｂに対して係合する。係合部４２ａは、係合孔４２ｂを形成する部分である。係合部４２ａは、係合孔４２ｂを、外枠４１の側壁部４１ｂの外側側面に形成される係合突起４１ｄに対して、弾性変形をともなって係合させる。
【００５３】
見切り板４２は、その本体部分に、開口部分である窓部４２ｃを有する。見切り板４２が有する窓部４２ｃは、液晶パネル３１の有効表示領域に対応する位置に形成され、液晶パネル３１の入射面側（対向基板３３側）において有効表示領域を外部に対して露出させる。
【００５４】
このように液晶パネル３１とケース４０とを有し全体として略矩形板状に構成される液晶表示ユニット３０は、前記のとおりクロスプリズム２０の入射面に対して板面が略平行となるように配置される。液晶表示ユニット３０は、プロジェクタ１において、クロスプリズム２０に対して取付板を介する等して固定される。つまり、液晶表示ユニット３０の固定に取付板が用いられる場合、クロスプリズム２０の入射面側に固定される取付板に対して、液晶表示ユニット３０が固定される。
【００５５】
このため、液晶表示ユニット３０は、取付板等に対する固定に用いられる部分である固定部を有する。液晶表示ユニット３０の固定部は、ケース４０を構成する外枠４１に設けられる。液晶表示ユニット３０は、三箇所の固定部が用いられるいわゆる三点留め方式により固定される。このため、ケース４０の外枠４１は、三箇所に固定部を有する。外枠４１が有する固定部は、ケース４０（の外枠４１）を固定するためのネジを貫通させるネジ孔を形成する部分として設けられる。
【００５６】
具体的には、外枠４１は、液晶表示ユニット３０の固定部として、外枠４１においてフレキシブルケーブル３６が位置する側の辺部の両隅の部分に設けられる二箇所の固定部（以下「角固定部」という。）４３と、フレキシブルケーブル３６が位置する側と反対側の辺部の略中央部分に設けられる一箇所の固定部（以下「中央固定部」という。）５３との、計三箇所の固定部を有する。
【００５７】
二箇所の角固定部４３は、外枠４１において、液晶パネル３１に接続されるフレキシブルケーブル３６との干渉を避ける位置に設けられる。そして、外枠４１において三箇所に設けられる固定部は、平面視（図６参照）で、角固定部４３側が底辺側、中央固定部５３が頂点側となる略二等辺三角形の角頂点に対応するような配置で設けられる。また、角固定部４３および中央固定部５３は、それぞれ、ケース４０（の外枠４１）を固定するためのネジを貫通させる固定用の孔部であるネジ孔４３ａ、５３ａを形成する部分である。このような三箇所の固定部が用いられる三点留め方式によれば、ネジによる締め付けにともなう外枠４１および液晶パネル３１へのストレスを緩和させる効果が得られる。
【００５８】
このように、プロジェクタ１において三点留め方式によって固定される液晶表示ユニット３０においては、光源２から集光光学系を経た光が、ケース４０を介して液晶パネル３１を透過する。すなわち、液晶表示ユニット３０に照射される光は、見切り板４２の窓部４２ｃを介して液晶パネル３１の入射側（対向基板３３側）における有効表示領域に入射し（図８、矢印Ｃ１参照）、液晶パネル３１を透過した光が、外枠４１の窓部４１ｃを介して液晶パネル３１の出射側（ＴＦＴ基板３２側）における有効表示領域から出射される（同図、矢印Ｃ２参照）。
【００５９】
したがって、本実施形態では、前記のとおりクロスプリズム２０の入射面に対して板面が略平行となるように配置される液晶表示ユニット３０は、液晶パネル３１の出射側、つまりケース４０における外枠４１側の面が、クロスプリズム２０の入射面に対向する状態で設けられる。ただし、液晶表示ユニット３０においては、光の入射側と出射側とが反対であってもよい。つまり、液晶表示ユニット３０は、プロジェクタ１において、ケース４０における見切り板４２側の面がクロスプリズム２０の入射面に対向する状態で設けられてもよい。
【００６０】
このように、プロジェクタ１において三点留め方式によって固定された状態で光源２からの光を透過させる液晶表示ユニット３０は、前述したように冷却ファン２２から冷却ダクト２３を介して吹き付けられる冷却風を、略矩形板状の外形におけるフレキシブルケーブル３６側と反対側から受ける（図３参照）。
【００６１】
すなわち、液晶表示ユニット３０は、プロジェクタ１において、鉛直方向の下側から上側に向けて送り出される冷却風に対して前壁部５０を下側に向ける姿勢、つまり冷却ダクト２３の開口部２３ａに対して前壁部５０側を対向させる姿勢で設けられる。これにより、液晶表示ユニット３０は、鉛直方向の下側から上側に向けて送り出される冷却風を前壁部５０側から受ける（図４、矢印Ｄ１参照）。液晶表示ユニット３０に対して吹き付けられる冷却風は、液晶パネル３１の入射側の面および出射側の面の両面に沿って流れる（図８、矢印Ｅ１、Ｅ２参照）。なお、以下の説明においては、液晶表示ユニット３０が冷却風を受ける側、つまり外枠４１において前壁部５０が設けられる側を「前側」とする。
【００６２】
以上のような構成を備える本実施形態の液晶表示ユニット３０において、その構成要素である液晶パネル３１は、略矩形板状の外形における板面を貫通する方向に外部から照射される光を受けるパネル表面３７を有する。また、同じく液晶表示ユニット３０の構成要素であるケース４０は、液晶パネル３１を収容し、液晶パネル３１を収容した状態でパネル表面３７に沿う平面部４７を有するとともに、この平面部４７にパネル表面３７を外部に対して露出させる開口部としての窓部４２ｃを形成する。
【００６３】
ここで、本実施形態の液晶表示ユニット３０が有するパネル表面３７は、液晶パネル３１において外部から照射される光である光源２から集光光学系を経た光が入射する面である。つまり、本実施形態では、見切り板４２の窓部４２ｃから外部に対して露出する面となる、液晶パネル３１の入射側の絶縁基板である対向基板３３に対して設けられる防塵ガラス３４の表面が、液晶表示ユニット３０のパネル表面３７に相当する。また、本実施形態におけるケース４０が有する平面部４７は、ケース４０を構成する見切り板４２の外側の面（表面）により形成される部分である。
【００６４】
そして、本実施形態の液晶表示ユニット３０は、液晶パネル３１を収容するケース４０において、前側から受ける冷却風を整流するための構成を備える。以下、液晶表示ユニット３０のケース４０が冷却風を整流するために備える構成について説明する。
【００６５】
（ケースの構成の詳細）
前述したように液晶パネル３１を冷却させるための冷却風を前側から受けるケース４０は、パネル表面３７に沿う所定の方向から、液晶パネル３１を冷却するための冷却風を受ける。つまり、ケース４０は、略矩形板状の外形における板面の一辺部の側（略矩形状を有する外枠４１において前壁部５０が設けられる辺部の側）から、パネル表面３７に略平行に吹き付けられる冷却風を受ける。以下の説明では、ケース４０が冷却風を受ける前側の端部となる、ケース４０の略矩形板状の外形における板面の一辺部を「前側辺部」という。つまり、ケース４０の前側辺部は、外枠４１が有する前壁部５０が設けられる側の端部である。
【００６６】
図４〜図８に示すように、ケース４０は、冷却風を整流するための構成として、テーパ部５１と、外枠隙間５２と、中央固定部５３とを有する。テーパ部５１は、前側辺部に設けられ、平面部４７に対して前側端部の縁端にかけて下る斜面５１ａを形成する部分である。すなわち、テーパ部５１において形成される斜面５１ａは、前側辺部の辺に沿う方向（図７における左右方向、以下「幅方向」とする。）に対して垂直にかつ前側辺部の外縁にかけてケース４０の略矩形板状の外形についての板厚方向（図８における上下方向、以下単に「板厚方向」という。）のパネル表面３７側（図８における上側）と反対側（同図における下側）に向けて下る面である。
【００６７】
本実施形態では、テーパ部５１において形成される斜面５１ａは、板厚方向におけるパネル表面３７側と反対側、つまり板厚方向における光の出射側（図８において下側、以下「板厚方向下側」という。）に向けて下るように傾斜する。したがって、前壁部５０に設けられるテーパ部５１は、前壁部５０を、前側辺部の端部（図８における左側端部）にかけて板厚方向におけるパネル表面３７側、つまり光の入射側（同図における上側、以下「板厚方向上側」という。）から徐々に細く（薄く）させる。テーパ部５１は、斜面５１ａにより、液晶表示ユニット３０の前側から吹き付けられる冷却風をケース４０のパネル表面３７側に導くための部分である。
【００６８】
また、前壁部５０において、テーパ部５１の幅方向の両端部には、斜面５１ａに対して略垂直な面である内側面５４ａを形成する一対の肩部５４が設けられている。両方の肩部５４が有する内側面５４ａ同士は、幅方向に対向する。肩部５４は、外枠４１における前側の角部分を形成する。つまり、前壁部５０の肩部５４以外の部分が、テーパ部５１として形成される。
【００６９】
肩部５４は、前壁部５０において、前記のとおり前側辺部の端部（外縁）にかけて入射側から徐々に細く（薄く）なるテーパ部５１に対して、外枠４１としての板厚を保持する部分である。したがって、肩部５４により形成される内側面５４ａは、テーパ部５１の斜面５１ａとの境界側を底辺側とする略二等辺三角形状を有する。
【００７０】
また、テーパ部５１においては、板厚方向上側の端部に、平坦面５１ｂが形成される。平坦面５１ｂは、板厚方向に対して略垂直方向の面として形成され、パネル表面３７に略平行な平面である。平坦面５１ｂは、テーパ部５１において幅方向の略全体にわたって形成される。平坦面５１ｂは、テーパ部５１の斜面５１ａがその上端部（板厚方向上側の端部）からパネル表面３７に沿う方向に折り曲げられたような面として形成される。
【００７１】
また、テーパ部５１においては、前側の端部（先端部）に、先端面５１ｃが形成される。先端面５１ｃは、板厚方向に略平行な面である。したがって、先端面５１ｃは、液晶表示ユニット３０に対して冷却風が吹き付けられる方向に対向する面となる。先端面５１ｃは、テーパ部５１の斜面５１ａがその下端部（板厚方向下側の端部）から板厚方向に沿う方向に折り曲げられたような面として形成される。
【００７２】
外枠隙間５２は、見切り板４２の窓部４２ｃに対して平面部４７の内側、つまり板厚方向下側から連通する幅方向のスリット状の隙間である。外枠隙間５２は、テーパ部５１の板厚方向上側の部分において、冷却風が吹き付けられる方向に対向する方向に開口する。外枠隙間５２は、テーパ部５１の斜面５１ａの終端部分（板厚方向の上側に登り切った部分）において、外枠４１と見切り板４２との間に設けられる。
【００７３】
具体的には、外枠隙間５２は、テーパ部５１に形成される平坦面５１ｂと、見切り板４２の内側（板厚方向下側）の面である見切り板内面４２ｄとにより形成される。平坦面５１ｂは、ケース４０の略矩形板状の外形についての板面方向に沿う面である。このように、本実施形態では、外枠隙間５２を形成する面として、板厚方向下側の面となる平坦面５１ｂと、板厚方向上側の面となる見切り板内面４２ｄとが用いられる。ここで、見切り板内面４２ｄについては、平坦面５１ｂに対向する部分、つまり見切り板４２が外枠４１に装着された状態における前側の端部の部分が、外枠隙間５２を形成する部分として用いられる。
【００７４】
外枠隙間５２は、板厚方向上側の面として見切り板内面４２ｄを有することで、見切り板４２の窓部４２ｃに対して板厚方向下側から連通する。すなわち、外枠隙間５２は、前記のとおり冷却風が吹き付けられる方向に対向する方向に開口するとともに、ケース４０の内部空間（液晶パネル３１が収容される空間）と連通する。このケース４０の内部空間は、見切り板４２の窓部４２ｃによって板厚方向上側から外部に対して開口する。これにより、外枠隙間５２は、ケース４０の内部空間を介して見切り板４２の窓部４２ｃに連通する。言い換えると、外枠隙間５２は、見切り板４２の窓部４２ｃによって板厚方向上側が開口するケース４０の内部空間を、冷却風を受ける側に開口させる。
【００７５】
また、外枠隙間５２を形成する平坦面５１ｂは、板厚方向の位置について、ケース４０に収容された状態の液晶パネル３１のパネル表面３７よりも板厚方向下側に位置する。このため、見切り板内面４２ｄとの間の間隔について、平坦面５１ｂと見切り板内面４２ｄとの間隔（図９、寸法Ｆ１参照）の方が、パネル表面３７と見切り板内面４２ｄとの間隔（同図、寸法Ｆ２参照）よりも大きい。つまり、本実施形態では、外枠隙間５２は、その隙間の大きさが見切り板内面４２ｄとパネル表面３７との間の隙間よりも大きくなるように形成されている。ただし、外枠隙間５２は、その隙間の大きさが見切り板内面４２ｄとパネル表面３７との間の隙間よりも小さくなるように形成されてもよい。
【００７６】
以上のように、本実施形態の液晶表示ユニット３０においては、外枠隙間５２を形成する面としての平坦面５１ｂが、テーパ部５１の斜面５１ａに対して平面部４７側の端部（板厚方向上側の端部）から連続するとともにパネル表面３７に沿う方向の面である第一の隙間形成面として機能する。そして、見切り板内面４２ｄが、平坦面５１ｂに対して平面部４７側（板厚方向上側）に位置するとともに平坦面５１ｂに対向する面であり、平坦面５１ｂとともに外枠隙間５２を形成する面である第二の隙間形成面として機能する。
【００７７】
中央固定部５３は、前側辺部にてテーパ部５１の斜面５１ａを含む部分に凹部として設けられ、平面部４７に対して略垂直方向（板厚方向）に貫通する固定用の孔部であるネジ孔５３ａを形成する部分である。本実施形態では、中央固定部５３は、前壁部５０において、幅方向における略中央位置に設けられる。中央固定部５３が有するネジ孔５３ａは、斜面５１ａおよび平坦面５１ｂを含む部分において、板厚方向に沿って形成される。
【００７８】
前壁部５０において凹部として設けられる中央固定部５３は、テーパ部５１の斜面５１ａおよび平坦面５１ｂから少なくとも上方向に突出することのないように形成される。好ましくは、中央固定部５３は、テーパ部５１の斜面５１ａおよび平坦面５１ｂに対していずれの方向からも突出することのないように形成される。言い換えると、中央固定部５３は、テーパ部５１の斜面５１ａおよび平坦面５１ｂにより規定される仮想外形から突出することなく形成されることが好ましい。
【００７９】
以上のように、冷却風を整流するための構成として、ケース４０においてテーパ部５１と外枠隙間５２と中央固定部５３とを有する液晶表示ユニット３０においては、前側から吹き付けられる冷却風について、次のような流れが得られる。液晶表示ユニット３０における冷却風の流れについて、図４および図９を用いて説明する。
【００８０】
液晶表示ユニット３０に対して前側から吹き付けられる冷却風（図４、矢印Ｄ１参照）は、前述したように液晶パネル３１の入射側の面および出射側の面の両面に沿って流れる。これらの冷却風のうち、液晶パネル３１の入射側の面に沿って流れる冷却風は、ケース４０の前側辺部において、テーパ部５１の斜面５１ａに沿って板厚方向上側に向かう流れを形成する（図９、矢印Ｇ１参照）。
【００８１】
テーパ部５１の斜面５１ａに沿って流れる冷却風は、その一部が外枠隙間５２からケース４０の内部に流入し（図９、矢印Ｇ２参照）、他の一部が平面部４７に沿って流れる（同図、矢印Ｇ３参照）。つまり、テーパ部５１の斜面５１ａに沿って流れる冷却風により、外枠隙間５２を介してケース４０の内部に導かれる流れ（図９、矢印Ｇ２参照）と、ケース４０の外部となる平面部４７に沿う流れ（同図、矢印Ｇ３）とが形成される。
【００８２】
このように、ケース４０において見切り板内面４２ｄによって形成される外枠隙間５２が前側辺部に存在することから、テーパ部５１の斜面５１ａに沿って流れる冷却風が、外枠隙間５２を形成する部分となる見切り板４２の先端部によって板厚方向上側および板厚方向下側の両側に分離される。これにより、外枠隙間５２が形成される部分、およびその冷却風の流れにおける下流側の部分においては、見切り板４２の両面側（板厚方向上側および板厚方向下側）に、冷却風の流れが形成される（図９、矢印Ｇ２、Ｇ３参照）。
【００８３】
テーパ部５１の斜面５１ａに沿って流れる冷却風が横切る方向となる幅方向において中央固定部５３が存在する部分においては、冷却風は中央固定部５３上を通過する。ここで、中央固定部５３上を通過する冷却風の流れについては、中央固定部５３が凹部として形成される部分であることから、中央固定部５３が存在することによる影響は小さい。
【００８４】
そして、図４に示すように、テーパ部５１の斜面５１ａから見切り板４２の両面側を流れる冷却風（矢印Ｈ１、Ｈ２参照）は、見切り板４２の内側および外側においてパネル表面３７に沿う方向に流れ、見切り板４２のフレキシブルケーブル３６側の部分において再び見切り板４２の両面側に流れを形成しながらフレキシブルケーブル３６側に吹き抜ける（矢印Ｈ３、Ｈ４参照）。なお、図４に示す矢印Ｈ２および矢印Ｈ４における破線部分は、冷却風の流れについて見切り板４２の内側（板厚方向下側）に形成される流れを示す。
【００８５】
以上のように、本実施形態の液晶表示ユニット３０によれば、冷却風が整流化されることから、冷却風を受ける液晶パネル３１におけるパネル表面３７へのダストの吹き溜まりや堆積を抑制することができるとともに、冷却風による冷却性能が向上し、長期的な画質信頼性を向上させることができる。
【００８６】
すなわち、液晶表示ユニット３０においては、前述したように前側から吹き付けられる冷却風は、斜面５１ａに沿って流れるとともに外枠隙間５２によって見切り板４２の両面側に流れを形成する。このため、見切り板４２の両面側における冷却風の流速差および圧力差が緩和される。これにより、パネル表面３７上における冷却風の逆流および乱流が抑制される。結果として、例えば、液晶パネル３１の長寿命化を図るために冷却風の風量が増加させられたり、プロジェクタ１の使用期間が長期間にわたったりしても、パネル表面３７上のダストの吹き溜まりや堆積が抑制される。
【００８７】
また、液晶表示ユニット３０においては、液晶表示ユニット３０に吹き付けられる冷却風の一部が外枠隙間５２を介してケース４０内に流入することから、液晶パネル３１のパネル表面３７が均一に冷却され、冷却風によるより高い冷却効果が得られる。このように、パネル表面３７へのダストの吹き溜まり等の抑制や冷却風による冷却性能の向上が図られることで、液晶表示ユニット３０による長期的な画質信頼性が向上する。
【００８８】
また、本実施形態の液晶表示ユニット３０を構成するケース４０は、液晶パネル３１の外形に沿う枠状の部分を有し液晶パネル３１を保持する外枠４１と、この外枠４１に保持される液晶パネル３１のパネル表面３７を覆うとともにパネル表面３７を外部に対して露出させる開口部である窓部４２ｃを形成する板状の部材である見切り板４２とにより構成される。ここで、外枠４１は、液晶パネル３１の外形に沿う枠状の部分として、側壁部４１ｂおよび前壁部５０を有する。
【００８９】
そして、外枠４１および見切り板４２により構成されるケース４０においては、外枠４１により、テーパ部５１、外枠隙間５２を形成する板厚方向下側の面である平坦面５１ｂ、および中央固定部５３が構成され、見切り板４２により、平坦面５１ｂとともに外枠隙間５２を形成する板厚方向上側の面である見切り板内面４２ｄが構成される。
【００９０】
このように、液晶表示ユニット３０において液晶パネル３１を収容するケース４０が、外枠４１と見切り板４２とを有する構成であることにより、既存の構成を利用することで、外枠隙間５２を含む冷却風を整流するための構成を容易に実現することができる。
【００９１】
（ケースの変形例）
また、図１０および図１１に示すように、液晶表示ユニット３０のケース４０において外枠隙間５２を形成する部分である見切り板４２は、前側に突出する延設部４４を有する構成であってもよい。延設部４４は、見切り板４２を、外枠隙間５２を形成する板厚方向下側の面である平坦面５１ｂよりも前側に突出させる。本実施形態では、延設部４４は、見切り板４２の前側の辺部の一部を、見切り板４２の前側の端部が外枠４１の前側の端部と略同じ位置となるように延設させる。
【００９２】
また、本実施形態では、延設部４４は、外枠４１が有する両方の肩部５４の間において、テーパ部５１（斜面５１ａ）の略全体を板厚方向上側から覆うように形成される。つまり、延設部４４は、見切り板４２の前側の端部からテーパ部５１に対して庇状に突出する部分である。
【００９３】
見切り板４２が延設部４４を有することにより、外枠隙間５２を形成する板厚方向上側の面である見切り板内面４２ｄが、延設部４４の内側の面に相当する延長部４２ｅを有することとなる。すなわち、見切り板４２が延設部４４を有する構成においては、外枠隙間５２を形成する見切り板内面４２ｄは、パネル表面３７に沿う方向について外枠隙間５２を形成する平坦面５１ｂよりも前側辺部の縁端側（図１１における左側）に延長する部分である延長部４２ｅを有する。なお、見切り板４２の延設部４４においては、中央固定部５３のネジ孔５３ａに対するネジの挿入を許容するための切り欠き部４２ｇが形成される。
【００９４】
このように、外枠隙間５２を形成する見切り板内面４２ｄが延長部４２ｅを有する構成においても、前述したような実施形態と同様の効果が得られる。すなわち、見切り板内面４２ｄが延長部４２ｅを有する構成においては、液晶表示ユニット３０に対して前側から吹き付けられる冷却風は、冷却風の流れにおける外枠隙間５２の上流側において、見切り板４２の（延設部４４の）先端部によって板厚方向上側および板厚方向下側の両側に分離される。これにより、見切り板４２の両面側において、冷却風の流れが形成され、冷却風の整流化が図られる。
【００９５】
（比較例の検討）
以下では、本実施形態に係る液晶表示ユニット３０による効果について、二種類の比較例を用いて説明する。なお、以下に説明する効果は、所定のモデル空間内に存在する液晶表示ユニットに対して、モデル空間内を流れる所定の流量の冷却風が前側から吹き付けられる場合における流体シミュレーションの結果に基づくものである。また、比較例としての液晶表示ユニットの説明においては、前述した実施形態の液晶表示ユニット３０と共通する部分については、便宜上同一の符号を付して説明を省略する。
【００９６】
まず、第一の比較例としての液晶表示ユニット１３０は、図１２に示すように、三点留め方式を採用するために外枠４１において前側辺部の略中央位置に設けられる固定部（中央固定部）として、突起状の固定部１５３を有する。固定部１５３は、ネジ孔１５３ａを形成するとともに、筒軸方向を板厚方向とする略円筒形状を有する突起部分である。つまり、固定部１５３は、テーパ部５１の斜面５１ａから板厚方向上側に向けて突出する略円筒形状の突出部分である。固定部１５３の上端面１５３ｂは、テーパ部５１の斜面５１ａに対して板厚方向上側の端部からパネル表面３７に沿う方向に形成される平面部１５４と共通の面として形成される。
【００９７】
また、第一の比較例としての液晶表示ユニット１３０は、前述した実施形態の液晶表示ユニット３０との比較において、外枠４１と見切り板４２との間に設けられる外枠隙間５２を有しない。つまり、本比較例の液晶表示ユニット１３０においては、固定部１５３の上端面１５３ｂと同一面を形成する平面部１５４と、平面部４７とは、いずれもパネル表面３７と略平行な面であって、板厚方向について略同じ位置に存在する。第一の比較例としての液晶表示ユニット１３０においては、前述した実施形態の液晶表示ユニット３０との比較において、テーパ部５１の斜面５１ａの傾斜が急である。
【００９８】
次に、第二の比較例として液晶表示ユニット２３０は、図１３に示すように、外枠４１と見切り板４２との間に設けられる外枠隙間５２を有しない点で、前述した実施形態の液晶表示ユニット３０と異なる。すなわち、第二の比較例として液晶表示ユニット２３０は、前壁部５０において斜面５１ａを形成するテーパ部５１を有するとともに、液晶表示ユニット３０の中央固定部５３と同様に、凹部として設けられ固定用のネジ孔２５３ａを形成する固定部２５３を有する。そして、テーパ部５１の斜面５１ａに対して板厚方向上側の端部からパネル表面３７に沿う方向に形成される平面部２５４と、平面部４７とが、いずれもパネル表面３７と略平行な面であって、板厚方向について略同じ位置に存在する。
【００９９】
図１４（ａ）に示すように、第一の比較例としての液晶表示ユニット１３０においては、前側から吹き付けられる冷却風の流れについて、固定部１５３がテーパ部５１の斜面５１ａから突出する部分として存在するため、この固定部１５３の部分を起点に固定部１５３の両側（図１４（ａ）において左右両側）で渦巻き状の流れが発生する（矢印Ｊ１参照）。つまり、突出部分としての固定部１５３によって冷却風の流れが固定部１５３の両側に分断され、その両側から、固定部１５３の下流側において内側（中心側）に冷却風が流れ込む。これにより、パネル表面３７における固定部１５３の下流側の中央部分（破線部分Ｊ２参照）の冷却風の風量が減少する。
【０１００】
こうした冷却風についての渦巻き状の流れは、固定部１５３の下流側の部分（破線部分Ｊ２参照）と上流側の部分（破線部分Ｊ３参照）とで、冷却風による圧力の差を発生させる。つまり、固定部１５３の部分を起点として、その下流側の部分（破線部分Ｊ２参照）の圧力が、上流側の部分（破線部分Ｊ３参照）の圧力よりも低くなる。
【０１０１】
また、図１４（ｂ）に示すように、側面視での冷却風の流れを見た場合、第一の比較例としての液晶表示ユニット１３０においては、前側から吹き付けられる冷却風の流れについて、見切り板４２よりも板厚方向上側の部分における流速の差が比較的大きくなる。具体的には、斜面５１ａに沿って平面部４７に対して板厚方向上側に導かれるように形成される流れの部分（破線部分Ｋ１参照）と、その部分に対して板厚方向下側における平面部４７の近傍部分（破線部分Ｋ２参照）とで、流速の差が大きくなる。こうした板厚方向における流速の差は、テーパ部５１の斜面５１ａの傾斜が比較的急であることに起因する。
【０１０２】
また、同じく図１４（ｂ）に示すように、側面視での冷却風の流れを見た場合、前述したような板厚方向の上下における流速の差等に起因して、平面部４７の近傍部分において冷却風の逆流が生じる（矢印Ｋ３参照）。この冷却風の逆流により、見切り板４２とパネル表面３７を形成する防塵ガラス３４との間に対して冷却風の下流側（図１４（ｂ）における右側）から、ケース４０内に冷却風が流れ込むという現象が生じる（矢印Ｋ４参照）。このような現象は、第一の比較例としての液晶表示ユニット１３０においては、ケース４０の内部において冷却風の風向（吹き付けられる向き）に沿う流れが形成されることがなく、見切り板４２の両面側で冷却風についての流速差および圧力差が生じることに起因する。
【０１０３】
なお、図１４（ａ）、（ｂ）における矢印群は、冷却風の流れを表す。また、図１４（ｂ）に示す断面図は、図８に示す断面図と同じ方向からの断面図であって、液晶表示ユニット１３０の幅方向について固定部１５３を含まない固定部１５３の近傍部分の位置に対応する断面図である。
【０１０４】
このように、第一の比較例としての液晶表示ユニット１３０によれば、冷却風の流れについて固定部１５３の下流側の部分において流速のバラツキが比較的大きく、渦巻き状の流れや逆流のような乱流が生じる。このような冷却風による乱流は、パネル表面３７に冷却風によって運ばれるダストの吹き溜まりや堆積を発生させる原因となる。
【０１０５】
具体的には、図１５に示すように、固定部１５３の下流側において、見切り板４２の見切り板内面４２ｄと防塵ガラス３４により形成されるパネル表面３７との間に逆流して流れ込む冷却風（矢印Ｌ１）により、ダスト１６０が巻き込まれて運ばれる。逆流する冷却風によって運ばれるダスト１６０は、パネル表面３７上において見切り板４２の窓部４２ｃを形成する端部付近に吹き溜まり、堆積することになる。
【０１０６】
また、図１６（ａ）に示すように、第二の比較例としての液晶表示ユニット２３０においては、前壁部５０に設けられる固定部２５３が凹部として設けられる部分であることから、第一の比較例としての液晶表示ユニット１３０において生じる渦巻き状の流れ（図１４（ａ）、矢印Ｊ１参照）は生じないものの、固定部２５３の下流側近傍において幅方向（図１６（ａ）における左右方向）における内側と外側とで流速の差が見られる。具体的には、幅方向における内側の部分（破線部分Ｍ１参照）の流速が、同じく幅方向における外側の部分（破線部分Ｍ２参照）の流速よりも遅くなる。こうした流速の差は、凹部としての固定部２５３においてその内周面が冷却風を受ける壁面として存在するためその壁面の部分を起点として流速が変化することに起因する。
【０１０７】
また、図１６（ｂ）に示すように、第二の比較例としての液晶表示ユニット２３０においては、前側から吹き付けられる冷却風の流れについて、見切り板４２よりも板厚方向上側の部分における流速の差が比較的大きくなる。具体的には、斜面５１ａに沿って平面部４７に対して板厚方向上側に導かれるように形成される流れの部分（破線部分Ｎ１参照）と、その部分に対して板厚方向下側における平面部４７の近傍部分（破線部分Ｎ２参照）とで、流速の差が大きくなる。ただし、第二の比較例としての液晶表示ユニット２３０における板厚方向における流速の差は、テーパ部５１の斜面５１ａの傾斜の関係から、第一の比較例としての液晶表示ユニット１３０における流速の差よりも小さい。また、第二の比較例としての液晶表示ユニット２３０においては、第一の比較例としての液晶表示ユニット１３０と同様に、ケース４０の内部において冷却風の風向に沿う流れが形成されることがないため、見切り板４２の両面側で冷却風についての流速差および圧力差が生じる。
【０１０８】
なお、図１６（ａ）、（ｂ）における矢印群は、図１４と同様に冷却風の流れを表す。また、図１６（ｂ）に示す断面図は、図８に示す断面図と同じ方向からの断面図であって、液晶表示ユニット２３０の幅方向について固定部２５３を含まない固定部２５３の近傍部分の位置に対応する断面図である。
【０１０９】
以上のような比較例の液晶表示ユニットにおける冷却風の流れに対して、本実施形態の液晶表示ユニット３０においては、中央固定部５３の下流側における流速の差が低減されるとともに、渦巻き状の流れや逆流のような乱流が防止される。すなわち、液晶表示ユニット３０が有する中央固定部５３が凹部として設けられる部分であることから、第一の比較例としての液晶表示ユニット１３０において固定部１５３の下流側で生じるような固定部１５３を起点とする渦巻状の流れが防止される。
【０１１０】
また、本実施形態の液晶表示ユニット３０においては、外枠隙間５２が存在することから、テーパ部５１の斜面５１ａに沿って流れる冷却風の一部が外枠隙間５２を介してケース４０内に流入し、見切り板４２と防塵ガラス３４との間に冷却風の風向に沿う流れが形成される（図９、矢印Ｇ２参照）。つまり、見切り板４２に対して、板厚方向上側および板厚方向下側のそれぞれにおいて冷却風の風向に沿う流れが形成される。これにより、見切り板４２の両面側での冷却風についての流速差および圧力差が緩和され、冷却風の逆流が防止される。
【０１１１】
したがって、本実施形態の液晶表示ユニット３０においては、図１７に示すように、冷却風の流れについて、中央固定部５３の下流側において渦巻き状の流れや逆流のような乱流が生じることなく、パネル表面３７上においてほぼ均一な流速の整流化された流れが得られる。なお、図１７における矢印群は、図１４等と同様に冷却風の流れを表す。
【０１１２】
以上のように、本実施形態の液晶表示ユニット３０は、冷却風を受ける前壁部５０において斜面５１ａを形成するテーパ形状を有するとともに、第一の比較例としての液晶表示ユニット１３０が有するような突出部分としての固定部１５３が削られることで得られる凹部としての中央固定部５３を有する。そしてさらに、本実施形態の液晶表示ユニット３０は、斜面５１ａに対する板方向上側の部分において見切り板４２と外枠４１との間に外枠隙間５２を有する。これにより、液晶表示ユニット３０が前側から受ける冷却風について、乱流が解消され、整流化が図られる。結果として、パネル表面３７上におけるダストの吹き溜まりや堆積が抑制されるという効果が得られる。
【０１１３】
以上説明した本発明の実施の形態では、液晶表示ユニット３０におけるパネル表面３７が、見切り板４２側、つまり液晶パネル３１において対向基板３３側の防塵ガラス３４の表面であるが、反対側であってもよい。つまり、外部から照射される光を受けるパネル表面としては、本実施形態の液晶表示ユニット３０の場合、外枠４１の窓部４１ｃから外部に対して露出するＴＦＴ基板３２側の防塵ガラス３５の表面であってもよい。また、本発明は、本実施形態に係る液晶パネル３１のような透過型の液晶表示素子に限らず、反射型の液晶表示素子にも適用可能である。
【符号の説明】
【０１１４】
１      プロジェクタ（投射型液晶表示装置）
２      光源
２２    冷却ファン
２３    冷却ダクト
３０    液晶表示ユニット（液晶表示装置）
３１    液晶パネル
３７    パネル表面
４０    ケース
４１    外枠
４１ｂ  側壁部
４１ｃ  窓部
４２    見切り板
４２ｃ  窓部（開口部）
４２ｄ  見切り板内面（第二の隙間形成面）
４２ｅ  延長部
４７    平面部
５０    前壁部
５１    テーパ部
５１ａ  斜面
５１ｂ  平坦面（第一の隙間形成面）
５２    外枠隙間（スリット状の隙間）
５３    中央固定部（固定部）
５３ａ  ネジ孔（固定用の孔部）
【図１】
2011028089.tif 000003
【図２】
2011028089.tif 000004
【図３】
2011028089.tif 000005
【図４】
2011028089.tif 000006
【図５】
2011028089.tif 000007
【図６】
2011028089.tif 000008
【図７】
2011028089.tif 000009
【図８】
2011028089.tif 000010
【図９】
2011028089.tif 000011
【図１０】
2011028089.tif 000012
【図１１】
2011028089.tif 000013
【図１２】
2011028089.tif 000014
【図１３】
2011028089.tif 000015
【図１４】
2011028089.tif 000016
【図１５】
2011028089.tif 000017
【図１６】
2011028089.tif 000018
【図１７】
2011028089.tif 000019